(57)【要約】【課題】短時間に容易に設置することができ、しかも、設置後も床板を容易に持ち上げることのできるウッドデッキを提供する。【解決手段】予め組み立てておいた所定の形状の床板パネル５０をスタンド１０が支持する。スタンド１０は、底面プレート部１ｂと側面プレート部１ａとを含むアングル材１を有している。底面プレート部１ｂは、支持部材３，４，５によって、設置すべき面１０７に対し水平または所望の勾配で支持される。アングル材１は、床板パネル５０の下面を支持するとともに、床板パネル５０の側面にも接して横ずれを防ぐ。これにより、床板パネル５０をスタンド１０に固定する必要がなくなり、着脱可能にできる。【選択図】図３
2004332348.tif 000002
【特許請求の範囲】
【請求項１】
設置すべき面に固定された複数のスタンドと、所定の形状の複数の床板パネルとを有し、
前記スタンドは、底面プレート部と該底面プレート部に対して主平面が交差するように配置された側面プレート部とを含むアングル材と、該アングル材の底面プレート部を前記設置すべき面に対して水平または所望の勾配で支持する支持部材とを備え、
前記複数の床板パネルは、両端が前記アングル材によって支持されることを特徴とするウッドデッキ。
【請求項２】
請求項１に記載のウッドデッキにおいて、前記アングル材は、前記側面プレート部が前記底面プレート部に対して垂直であり、
前記床板パネルは、両端に配置された角材の根太の上に床板を固定した構造であり、
前記アングル材は、前記側面プレート部が、前記根太の側面に接し、前記床板パネルの横ずれを抑制することを特徴とするウッドデッキ。
【請求項３】
請求項２に記載のウッドデッキにおいて、前記アングル材は、水平方向に長いレール状であり、前記スタンドは、前記アングル材を２本背中合わせに平行に配置して前記支持部材によって支持させた構造であり、
前記複数のスタンドは、一定の間隔をあけて複数の列状に配置され、
前記複数の床板パネルは、前記列状に配置された前記スタンド間に敷き詰められることを特徴とするウッドデッキ。
【請求項４】
請求項２または３に記載のウッドデッキにおいて、前記アングル材の側面プレート部と前記根太との間には、前記床板パネルのずれを防止するバネ部材が挿入されていることを特徴とするウッドデッキ。
【請求項５】
請求項１ないし４のいずれかに記載のウッドデッキにおいて、前記アングル材は、金属プレートを屈曲させることによって前記底面プレート部および前記側面プレート部を形成したものであることを特徴とするウッドデッキ。
【請求項６】
請求項２に記載のウッドデッキにおいて、前記根太は、前記床板の端面よりも予め定められた幅だけ前記床板パネルの内側に配置され、前記床板パネルの床板の端部が前記アングルの側面プレート部を覆うように構成されていることを特徴とするウッドデッキ。
【発明の詳細な説明】
【０００１】
【発明の属する技術分野】
本発明は、コンクリート面等に設置されるウッドデッキに関する。
【０００２】
【従来の技術】
従来、建物の屋上やマンションのベランダ等のように穴あけ加工をしてはいけないコンクリート面に木製のデッキを設置する場合、図１２（ａ）に示したような構造のスタンド１００が用いられていた。このスタンド１００は、金属製のベースプレート１０１と、ベースプレート１０１の上面に溶接等により垂直に固定されたボルト１０２と、ボルト１０２にそれぞれ係合する六角ナット１０３，１０５および座金１０４，１０６とを含んでいる。
【０００３】
ウッドデッキの設置工事の手順を簡単に説明する。まず、スタンド１００を複数の列を成すように並べ、ベースプレート１０１を接着剤でコンクリート面１０７に固定する。つぎに木製角材である根太１０８をスタンド１００の列ごとに用意し、各スタンド１００のボルト１０２の位置に、図１２（ｂ）のように貫通孔とザグリ１１１を形成する。この根太１０８の貫通孔にスタンド１００のボルト１０２を通し、上側ナット１０５と下側ナット１０３とによって根太１０８を上下から締め付けることにより、コンクリート面１０７から所望の高さに根太１０８を固定する。ボルト１０２の先端と上側ナット１０５と座金１０６は、根太１０８の貫通孔のザグリ１１１内に収容する。つぎに、根太１０８の上に、根太１０８と直交するように床板１０９を並べ、釘、コースレッド、木ねじ等の固定具１１０によって根太１０８に固定する。
【０００４】
このようにスタンド１００を用いることにより、床板１０９をコンクリート面１０７から所望の高さに浮かせた状態で支持することができるため、水はけがよい。また、ナット１０３，１０５の位置を調節することにより、床板１０９のコンクリート面１０７からの高さおよび勾配を調整することができるので、勾配のついたコンクリート面１０７に対して水平に床板１０９を設置することができる。  なお、根太１０８および床板１０９の長さや形状は、設置場所の大きさや形状に合わせる必要があるため、通常は設置工事の現場で１本ずつこれらを加工する。
【０００５】
また、コンクリート面１０７に穴あけすることが許される場合には、ボルト１０２としてアンカーボルトを用い、その下端を直接コンクリート面１０７に埋設する。
【０００６】
上述した図１２（ａ），（ｂ）の構造のウッドデッキは、設置工事終了後は、スタンド１００，根太１０８，床板１０９が一体化され、分割することができない。また、床板１０９を１本ずつ現場で加工し、根太１０８に固定する作業が必要であるため、設置工事に時間がかかるという問題があった。
【０００７】
そこで、床板１０９と根太１０８とを予め一定の大きさのパネルに組み立てておき、現場でスタンド１００の上に搭載する構成が用いられることがある。この構成は、図１３に示したように、根太１０８よりも太い角材（大引き）１１２をスタンド１００に固定し、この大引き１１２の上に、パネルの両端の根太１０８を搭載するものである。パネルとパネルの境界は、大引き１１２の中央にくるように位置あわせして搭載される。パネルの位置ずれを防ぐために根太１０８と大引き１１２とは別途ねじ等によって固定される。
【０００８】
【発明が解決しようとする課題】
ウッドデッキに望まれる要件としては、以下の６点が挙げられる。
【０００９】
１．腐食防止のため水はけが良く、しかも耐水性があること
【００１０】
２．表面にバリや突起がなく、平滑で安全なこと
【００１１】
３．全体に美しく快適なこと
【００１２】
４．あまり堅くなく、転んでもけがをしにくいこと
【００１３】
５．排水溝やその他の保守・点検のため、部分的な取り外しが容易なこと
【００１４】
６．適度な断熱性があり、金属のように冷ややかではないこと。
【００１５】
まず、図１２（ｂ）または図１３の構造のウッドデッキを上記要件について検討すると、以下のような問題がある。
【００１６】
従来の図１２（ｂ）の構造のウッドデッキの場合、床板１０９の表面に釘、コースレッド、木ねじ等の固定具１１０の穴があくため、水やゴミが溜まりやすい。このため穴の部分から腐りやすく、衛生面の問題が生じることもある。床板に穴があくため、見栄えも悪い。また、全体が一体化され、部分的に床板を外すことができないため、保守・管理が不便である。
【００１７】
また、図１３の構造のパネルを用いるウッドデッキの場合、根太１０８を大引き１１２に固定しなければ、部分的にパネルを取り外して保守・管理ができるが、パネルの安定が悪く、ガタつきが生じる。また、一本の大引き１１２に２本の根太１０８が搭載されるため、大引き１１２に強度が必要であるとともに、２本の根太１０８を載せることができる太さも要求される。このため、大引き１１２として断面の大きな角材を用いる必要があり、コスト高になるとともに、床面がその分高くなるという問題がある。また、根太１０８と大引き１１２は、木製であるため、長さが長いほど湿度や温度変化による変形が大きくなり、割れやガタつきの原因となる。
【００１８】
また、図１３の構造のウッドデッキは、パネルを大引き１１２に固定した場合、完成後にパネルを大引き１１２ごとはずすことができるようにするために、上面スタンド１００のナット１０６を回す工具を挿入する穴をパネルに設けることがあった。しかしながら、パネルにこのような穴を形成するのは、時間がかかるとともに、床面に穴があくことになり、安全面、見栄えの面で望ましいとはいえない。
【００１９】
また、図１２（ｂ）および図１３のウッドデッキはいずれも、設置工事の現場で根太１０８や大引き１１２に貫通孔を形成しなければならず、施工時間がかかるという問題もある。
【００２０】
本発明の目的は、短時間に容易に設置することができ、しかも、設置後も床板を容易に持ち上げることのできるウッドデッキを提供することにある。
【００２１】
【課題を解決するための手段】
上記目的を達成するために、本発明では、設置すべき面に固定された複数のスタンドと、所定の形状の複数の床板パネルとを有するウッドデッキにおいて、スタンドがアングル材を有する構成とする。アングル材は、底面プレート部と該底面プレート部に対して主平面が交差するように配置された側面プレート部とを含む。アングル材の底面プレート部は、支持部材によって、設置すべき面に対し水平または所望の勾配で支持される。床板パネルは、両端がアングル材によって支持される。
【００２２】
アングル材は、床板パネルの下面を支持するとともに、床板パネルの側面にも接して横ずれを防ぐ。これにより、床板パネルをスタンドに固定する必要がなくなり、着脱可能になる。
【００２３】
【発明の実施の形態】
以下、本発明の一実施の形態のユニットパネル式ウッドデッキについて図面を用いて説明する。
【００２４】
本実施の形態のウッドデッキは、床板を一定サイズのパネル状に予め組み立てておき、これを図１に示したスタンド１０によって支持するものである。これにより、穴あけできないコンクリート面上にウッドデッキを設置する。スタンド１０は、図１のように平行に並べられた２本のアングル材１と、２本のアングル材１を搭載する連結プレート３と、ボルト４と、ベースプレート５とを含んでいる。これらはすべてステンレス等の金属製である。アングル材１は、長方形の板状部材を長軸方向に沿って垂直に折り曲げたものであり、底面プレート部１ａとそれに対して垂直に立ち上がる側面プレート部１ｂとにより構成されている。側面プレート部１ｂの高さは、床板のパネルの根太の厚さよりも少し低くなるように設計されている。ボルト４の長さは、ウッドデッキの床面をコンクリート面１０７からどれくらいの高さに支持したいかに合わせて設計する。
【００２５】
２本のアングル材１は、図１に示したように、側面プレート１ｂが一定の間隔を開けて背中合わせになるように平行に並べられ、両端がそれぞれ連結プレート３に搭載されている。底面プレート１ｂは、連結プレート３に溶接されている。連結プレート３には、２本のアングル材１の間の位置に、ボルト４を通すための貫通孔が設けられている。ボルト４は、溶接等によりベースプレート５に対して垂直に固定されている。２本のアングル１が固定された連結プレート３は、中央部の貫通孔にボルト４の先端が通され、ボルト４に係合する下側六角ナット７および座金７の上に搭載され、上から上側六角ナット６により締め付けられることによりボルト４に固定されている。
【００２６】
また、ウッドデッキの床板５２と、それを連結および支持する根太５１は、図５のように、予め定めた一定の外形の床板パネル５０として組み立てておく。床板パネル５０は、根太５１を長方形に枠組みし、床板５２を所定のすかし目をあけて並べ、根太５１の下側から木ねじ等を打ち込んで床板５２を根太５１に対して固定した構造である。床板パネル５０の長辺側の根太５１は、図３に示したように床板５１の外形よりも予め定めた幅ｘだけ内側に下がった位置に固定される。この幅ｘは、図３に示したようにスタンド１０の連結プレート３上に搭載された２本のアングル材１の側面プレート部１ｂの間隔の１／２以上になるように設計されている。なお、本実施の形態では、床板パネル５０の外形を、幅（Ｗ）６００ｍｍ、長さ（Ｌ）２０００ｍｍの長方形としているが、所望の大きさの長方形または正方形にすることができる。また、図５に示した床板パネル５０のように、根太５１の長方形の枠組の内側に必要に応じてさらに根太５１を配置し、強度を大きくすることも可能である。
【００２７】
つぎに、本実施の形態のウッドデッキの設置手順について説明する。スタンド１０および床板パネル５０はそれぞれ、工場で予め組み立てておく。設置現場では、まず、ウッドデッキを設置すべきコンクリート面１０７の全体に、図１に示したように一定の間隔（Ｗ＋α）をあけてスタンド１０を平行に配置する。間隔（Ｗ＋α）は、床板パネル５０の幅（Ｗ）に所定のクリアランス分（α）を加えたものである。このクリアランス分（α）は、床板パネル５０を挿入する作業上必要なものであり、完成したウッドデッキの床面においては、隣接する床板パネル５０間に生じる隙間の幅となる。よって、クリアランス分（α）は、床板パネル５０の挿入作業が可能な値であって、隣接する床板パネル５０間の隙間として許容できる値に設定する。また、スタンド１０のアングル材１の長手方向については、図７に示したように連結具７１と皿ボルト７２を用いてスタンド１０同士を連結し、ウッドデッキを設置すべき面積全体にスタンド１０を列状にならべる。
【００２８】
つぎに、スタンド１０のベースプレート５の裏面に、接着剤を塗布し、コンクリート面１０７に固定する。コンクリート面１０７が傾斜している場合には、六角ナット７および六角ナット６の位置を調整し、アングル材１が水平もしくは所望の一定の勾配となるように調節する。次に、図２のように隣接するスタンド１０の向かい合うアングル材１の間に床板パネル５０をはめ込む。これにより、床板パネル５０の長辺の根太５１が、アングル材１に搭載される。図２に示したように、床板パネル５０をスタンド１０間の全体に敷き詰め、床面を構成する。これにより、ウッドデッキを完成させることができる。
【００２９】
床板パネル５０は、両端がスタンド１０上に搭載され、アングル材１によって幅方向の動きが押さえられるので、ねじ止め等により固定する必要はない。よって、保守・管理等の必要に応じて、所望の箇所の床板パネル５０のみを持ち上げて簡単に取り外すことができる。
【００３０】
また、パネル５０の長辺側の根太５１は、パネル外形よりも幅ｘだけ下がった位置にあるので、図３に示したように、アングル材１の側面プレート部１ｂは、床板５２の下側に隠れ、隣接する床板パネル５０は、床板５２の端面同士が間隔αをあけて突き合わされた形状となる。よって、スタンド１０は床面に露出しない。
【００３１】
床板パネル５０の敷き詰めパターンを図４（ａ），（ｂ）および図６に示す。図４（ａ）は、隣接する床板パネル５０の短辺が一致するように敷き詰めた例であり、図４（ｂ）は、床板パネル５０の短辺が隣接する床板パネルの長辺の中央にくるようにずらして敷き詰めた例である。図６は、正方形の床板パネル５０を用い、床板５２の長手方向が隣接するパネル５０間で互い違いになるように敷き詰める例である。敷き詰めパターンは、施主の好みや使用するパネルの形状に合わせて所望のパターンを選択することができる。
【００３２】
また、図７（ａ），（ｂ）に示したように、スタンド１０の中央部において２本のアングル材１の間に補強材７３を固定し、アングル材１の変形や位置ずれを防いで強度を高める構成にすることも可能である。
【００３３】
また、ウッドデッキの端部においては、図８に示したように、スタンド１０の位置を床板パネル５０の外形よりも内側に下げ、スタンド１０がウッドデッキの外周に突出しない構成にすることが可能である。この場合、最も外側のスタンド１０は、隣接するスタンド１０との間隔を所定の間隔よりも狭めて配置する。また、最も外側のスタンド１０として、図８、図９（ａ）に示したように、アングル材１が根太５１と交わる位置に切り欠き８１を設けておいたものを用いる。床板パネル５０の根太５１側にも、切り欠き８１と対応する位置に切り欠き８０を設け、図９（ｂ）のように切り欠き８１と切り欠き８０とを噛み合わせて固定する。これにより、端部のスタンド１０が床板パネル５０の外形よりも内側に位置する構造でありながら、安定して床板パネル５０を固定することができる。なお、切り欠き８１の下部において、アングル１に補強プレート８３を溶接等により固定する構成にすることも可能である。これにより、切り欠き８１を設けたことによるアングル１の強度低下を補うことができる。図８では、スタンド１０の長手方向について、スタンド１０の位置を床板パネル５０の外周より内側にする場合について説明したが、スタンド１０の端部側についても、スタンド１０の列を短くすることにより、スタンド１０を床板パネル５０の外周よりも下げることができる。この場合も、切り欠き８１を設け、床板パネル５０の根太５１の切り欠き８０と噛み合わせることにより、床板パネル５０を安定して固定することができる。
【００３４】
さらに、ウッドデッキの設置すべき面が矩形ではない場合には、設置面の形状に合わせて端部の床板パネル５０を主平面方向について斜め、例えば三角形等に切り落とすことにより対応することができる（図１０）。この場合、床板５２の端面から隣接する床板５２に向かって貫通ボルト９９等を挿入することにより、一部を切り落とされた床板５２を安定させることができる。
【００３５】
また、図１を用いて説明したように、スタンド１０の間隔は、パネルの幅（Ｗ）にクリアランス分（α）を加えた値に設置されるため、スタンド１０のアングル部材１の側面プレート部１ｂと根太５１との間には０〜αの範囲の空隙（あそび）があり、床板パネル５０はこの範囲で横ずれする。そこで、図１１に示したように、根太５１とアングル材１との空隙にバネ部材９１を挿入することにより、根太５１を押さえてあそびをなくし、床板パネル５０の横ずれを抑制することができる。なお、バネ部材９１としては、板バネを折り曲げアングル材１を挟み込むように折り曲げたものを用いることができる。また、根太５１にバネ部材９１の凸形状と噛み合う凹部８５を設けておくことにより、床板パネル５０がスタンド１０に対してはずれにくい構造となる。この場合でも、バール等を差し込んで床板パネル５０を持ち上げるように力を加えれば、簡単に床板パネル５０をスタンド１０からはずすことができる。
【００３６】
上述してきたように、本実施の形態のウッドデッキは、スタンド１０および床板パネル５０を、予め工場で組み立てることができるため、設置現場でこれらを加工し組み立てる必要がない。また、工場で規格品として量産できるため、精度良く、美しく仕上げられた製品を製造できるとともに、コストを低減することができる。設置現場では、スタンド１０をコンクリート面に設置することで誰でも容易に、しかも短時間でウッドデッキを設置できる。また、特別な工具も不要である。よって、低コストで短時間に、美しく仕上げられたウッドデッキを設置することができる。また、ウッドデッキを設置する面の形状が矩形でなくても、パネル５０を斜めに切り落とすことにより、容易に対応することができる。
【００３７】
また、床板パネル５０をスタンドに固定しないため、設置後も床板パネル５０を所望の箇所で着脱することが可能であり、保守管理が容易である。また、設置後であっても、床板パネル５０をはずし、スタンド１０の六角ナット７，８の位置を調節してアングル材１の高さを調節することができ、床面の高さおよび勾配を容易に調節できる。
【００３８】
また、床板パネル５０は、工場で組み立てる際に、根太５１の裏面側からねじ等で床板５２を固定することができるため、床板パネル５０の上面には、ねじ穴等がいっさい生じず、全くの平滑な面となる。よって、バリアフリーという観点から非常に優れ、しかもバリ等がなくゴミもたまらないため、安全面、衛生面でも優れている。老人ホーム、保育園等のように弱者が利用する場所に設置されるウッドデッキとして好適である。
【００３９】
なお、本実施の形態では、ベースプレート５を接着剤でコンクリート面１０７に固定したが、接着剤以外の方法を用いることも可能である。例えば、ベースプレートをねじ等によりコンクリート面１０７に固定したり、ベースプレート５に代えてアンカーボルトを用いたりすることも可能である。また、コンクリート面１０７に限らず、スタンド１０を固定可能な場所であれば、設置面の材質はどのような材質であってもよい。
【００４０】
また、本実施の形態では、スタンド１０のアングル材１を金属製としたが、必ずしも金属製でなくてもよく、強度のある樹脂、セラミックス等により構成することもできる。また、アングル材１は、底面プレート部１ａと側面プレート部１ｂとが別部材となっていてもよく、連結されてＬ字型となっていればよい。
【００４１】
また、上述してきた実施の形態では、スタンド１０のベースプレート５として金属板を用いていたが、図１４に示したように柱状のベース１５０を用いることも可能である。柱状ベース１５０は、木製、樹脂製、金属製等、所望の材質によって構成することができる。柱状ベース１５０の下面は、接着剤によってコンクリート面１０７に接着される。ボルト４は、図１５に示したように柱状のベース１５０の上面中央に固定する。固定方法は、柱状のベース１５に形成した雌ねじと係合させる方法や、柱状ベース１５の上面に形成した孔に埋設し接着剤や溶接等により固定する方法等、柱状ベース１５０の材質にあわせて選択することができる。他の構成は、図１に示したスタンド１０と同じである。
【００４２】
図１４のように柱状ベース１５０を用いるスタンドは、ボルト４の長さを短くでき、ボルトよりも断面積の大きな柱状ベース１５０によってアングル１の重量を支えることができるため、ボルト４に加わる負担が小さく、スタンドの強度が大きい。また、勾配がほとんどないコンクリート面１０７にウッドデッキを設置する場合のように、ボルト４に対する六角ナット６，７の上下位置を調節する必要がないときには、下側の六角ナット７を挟んで連結プレート３を柱状ベース１５０の上面に直接搭載することができ、柱状ベース１５０で直接アングル１の重量を支えることができる。このため、より強度を大きくできる。また、床面や勾配調整が必要な箇所については、ボルト４に対する六角ナット６，７の上下位置を調節することにより、図１の実施の形態の場合と同様に容易にアングル１の勾配や高さを調整することが可能である。
【００４３】
【発明の効果】
上述してきたように、本発明によれば、短時間に容易に設置することができ、しかも、設置後も床板を容易に持ち上げることのできるウッドデッキを提供することができる。
【図面の簡単な説明】
【図１】本発明の一実施の形態のウッドデッキを構成するスタンド１０の構成を示す斜視図である。
【図２】図１のスタンド１０の上に床板パネル５０を搭載した状態を示す斜視図である。
【図３】本実施の形態のウッドデッキの断面図である。
【図４】（ａ）および（ｂ）はいずれも本実施の形態のウッドデッキにおいて、床板パネルの配置パターンの例を示す上面図である。
【図５】本実施の形態のウッドデッキを構成する床板パネル５０の上面図である。
【図６】本実施の形態のウッドデッキにおいて、正方形の床板パネルを用いる場合の配置パターンの例を示す斜視図である。
【図７】本実施の形態のウッドデッキを構成するスタンド１０を連結することを説明する説明図である。
【図８】本実施の形態のウッドデッキにおいて、端部からスタンド１０を突出させない構造を示す斜視図である。
【図９】（ａ）は、本実施の形態のウッドデッキにおいて、端部からスタンド１０を突出させない構造の場合、形成される切り欠き８１を示す側面図であり、（ｂ）は、切り欠き８１が床板パネルと噛み合った状態を示す断面図である。
【図１０】本実施の形態のウッドデッキにおいて、床板パネル５０を三角形に切断した場合に、端面から貫通ボルト９９を挿入することを示す上面図である。
【図１１】本実施の形態のウッドデッキにおいて、床板パネル５０の横ずれを抑制するバネ部材９１を挿入した状態を示す側面図である。
【図１２】（ａ）は、従来のウッドデッキに使用されるスタンド１００の構造を示す側面図であり、（ｂ）は、従来のウッドデッキの構造を示す説明図である。
【図１３】従来の大引き１１２を用いるウッドデッキの構造を示す断面図である。
【図１４】本発明の別の実施の形態のウッドデッキを構成するスタンドの構成を示す斜視図である。
【図１５】図１４に示したスタンドの柱状ベース１５０の構造を示す斜視図である。
【符号の説明】
１…アングル材、３…連結プレート、４…ボルト、５…ベースプレート、６…上側六角ナット、７…下側六角ナット、８…座金、１０…スタンド、５０…床板パネル、５１…根太、５２…床板、７１…連結プレート、７２…皿ボルト、７３…補強材、８０…切り欠き、８１…切り欠き、８３…補強プレート、８５…凹部、９１…バネ部材、９９…貫通ボルト、１００…スタンド、１０１…ベースプレート、１０７…コンクリート面、１０８…根太、１０９…床板、１１２…大引き、１５０…柱状ベース。
【図１】
2004332348.tif 000003
【図２】
2004332348.tif 000004
【図３】
2004332348.tif 000005
【図４】
2004332348.tif 000006
【図５】
2004332348.tif 000007
【図６】
2004332348.tif 000008
【図７】
2004332348.tif 000009
【図８】
2004332348.tif 000010
【図９】
2004332348.tif 000011
【図１０】
2004332348.tif 000012
【図１１】
2004332348.tif 000013
【図１２】
2004332348.tif 000014
【図１３】
2004332348.tif 000015
【図１４】
2004332348.tif 000016
【図１５】
2004332348.tif 000017